(57)【特許請求の範囲】
【請求項１】
下に位置する箱型容器と上に位置する箱型容器とが同じ向きになるように箱型容器を積み重ねた際には、上に位置する箱型容器の側壁の外壁に形成された支脚が、下に位置する箱型容器のフランジに載置されてスタッキング状態となり、また、スタッキング状態から、上に位置する箱型容器を、平面的に、１８０度回転させた際には、上に位置する箱型容器に形成された前記支脚が、下に位置する箱型容器の側壁の内壁に形成されたポケットに挿入されてネスティング状態となるように構成された、底部と相対する長側壁と相対する短側壁とフランジとを有する箱型容器において、前記フランジは、土手部と該土手部より一段下がった平坦部とからなり、前記長側壁側に位置するフランジには、前記土手部と前記平坦部に突設された凸条とにより、前記支脚の外側下端部に形成された突出部が挿入可能な凹溝が形成されているとともに、前記短側壁側に位置するフランジにも、前記土手部と前記平坦部に突設された凸条とにより、前記支脚の外側下端部に形成された突出部が挿入可能な凹溝が形成されており、上に位置する箱型容器の前記支脚の突出部を、下に位置する箱型容器の前記凹溝に挿入して、上に位置する箱型容器を下に位置する箱型容器に沿ってスライドさせながらスタッキングする際に、スライド方向の前方に位置する支脚の突出部が当接する部分には、前記凸条が形成されておらず、且つ、スタッキング状態においては、前記支脚が、前記凹溝の底面と面一な前記フランジの平坦部に載置されるように構成されていることを特徴とする箱型容器。
【発明の詳細な説明】
【０００１】
【発明の属する技術分野】
本発明は、空の箱型容器（以下、箱型容器を、単に、「容器」ともいう。）を積み重ねる際には、上に位置する容器が、下に位置する容器に嵌め込まれ、また、内容物が収納された容器を積み重ねる際には、上に位置する容器が、下に位置する容器に嵌め込まれないように積み重ねることが可能な容器に関するものである。
【０００２】
【従来の技術】
容器の各側壁の両端部付近に、側壁の内壁に形成された容器の深さの略半分の深さを有するポケットと側壁の外壁に形成された支脚との組み合わせからなるポケット・支脚部を、それぞれ、形成した容器が知られている。このような容器は、下に位置する容器と上に位置する容器とが、同じ向きに積み重ねられた際には、下に位置する容器の開口部に形成されたフランジ上に、上に位置する容器の支脚が載置されて、上に位置する容器が、下に位置する容器に嵌め込まれないように積み重ねられる、所謂、スタッキングされ、また、スタッキング状態から、上に位置する容器を、平面的に、１８０度回転させることにより、上に位置する容器の支脚が、下に位置する容器のポケットに挿入されて、上に位置する容器が、下に位置する容器に嵌め込まれる、所謂、ネスティングされることになる。
【０００３】
上に位置する容器の一方を持ち上げるとともに、持ち上げられた側と反対側付近に位置する支脚を、下に位置する容器のフランジに沿ってスライドさせることにより、上に位置する容器を、下に位置する容器上に積み重ねることが行われるが、この際に、支脚がスライドするフランジ部分に凹溝を形成し、下に位置する容器の凹溝に、上に位置する容器の支脚の下端部を嵌合させることにより、上に位置する容器が、スライド方向に対して横方向に移動して、下に位置する容器から外れて落下しないようにした容器が知られている（例えば、実願平５−２７４９３号）。
【０００４】
【発明が解決しようとする課題】
上述した容器において、凹溝が形成されていないフランジ部分に沿って上に位置する容器の支脚をスライドさせると、スライド方向に対して直交するように配置された凹溝の土手部が、該支脚の下端部に当接し、従って、上に位置する容器をスライドさせながら、下に位置する容器上に積み重ねることができないという問題がある。
【０００５】
本発明の目的は、上述した従来の箱型容器が有する課題を解決するとともに、作業性の向上した箱型容器を提供することにある。
【０００６】
【課題を解決するための手段】
本発明は、上述した目的を達成するために、下に位置する箱型容器と上に位置する箱型容器とが同じ向きになるように箱型容器を積み重ねた際には、上に位置する箱型容器の側壁の外壁に形成された支脚が、下に位置する箱型容器のフランジに載置されてスタッキング状態となり、また、スタッキング状態から、上に位置する箱型容器を、平面的に、１８０度回転させた際には、上に位置する箱型容器に形成された前記支脚が、下に位置する箱型容器の側壁の内壁に形成されたポケットに挿入されてネスティング状態となるように構成された、底部と相対する長側壁と相対する短側壁とフランジとを有する箱型容器において、前記フランジは、土手部と該土手部より一段下がった平坦部とからなり、前記長側壁側に位置するフランジには、前記土手部と前記平坦部に突設された凸条とにより、前記支脚の外側下端部に形成された突出部が挿入可能な凹溝が形成されているとともに、前記短側壁側に位置するフランジにも、前記土手部と前記平坦部に突設された凸条とにより、前記支脚の外側下端部に形成された突出部が挿入可能な凹溝が形成されており、上に位置する箱型容器の前記支脚の突出部を、下に位置する箱型容器の前記凹溝に挿入して、上に位置する箱型容器を下に位置する箱型容器に沿ってスライドさせながらスタッキングする際に、スライド方向の前方に位置する支脚の突出部が当接する部分には、前記凸条が形成されておらず、且つ、スタッキング状態においては、前記支脚が、前記凹溝の底面と面一な前記フランジの平坦部に載置されるように構成したものである。
【０００７】
以下に、本発明の箱型容器の斜視図である図１、図１に示されている箱型容器の平面図である図２、図１に示されている箱型容器のスライド状態を示す一部斜視図である図３、本発明の箱型容器の別の実施例の斜視図である図４、図４に示されている箱型容器の平面図である図５、本発明の箱型容器の更に別の実施例の斜視図である図６及び図６に示されている箱型容器の平面図である図７を用いて、本発明の実施例について説明するが、本発明の趣旨を越えない限り何ら、本実施例に限定されるものではない。
【０００８】
【実施例】
先ず最初に、図１〜図３を用いて、本発明の一実施例について説明する。
【０００９】
本発明の箱型容器は、底部１、外側にやや傾斜した相対する長辺側の側壁２ａ、２ｂ（以下、単に、「長側壁」という。）及び同じく外側にやや傾斜した相対する短辺側の側壁２ｃ、２ｄ（以下、単に、「短側壁」という。）とから構成されている。なお、長側壁２ａ、２ｂ及び短側壁２ｃ、２ｄに関係なく、側壁、一般について言及する場合には、単に、側壁２と称する。
【００１０】
３は、容器の開口部を取り囲むように、長側壁２ａ、２ｂ及び短側壁２ｃ、２ｄの上端に形成されたフランジ３であり、フランジ３は、開口部の外周に沿って形成された土手部３ａと土手部３ａより一段下がった平坦部３ｂとを有している。４は、側壁２の中程から水平方向に延設された中間フランジである。
【００１１】
５は、フランジ３から底部１に向かって、側壁２の隅部寄りの内壁に形成された縦長の凹部からなるポケットであり、容器の略半分の深さを有している。本実施例においては、側壁２の内壁を外側に膨出することにより、ポケット５が形成されている。６は、ポケット５に隣接して或いはポケット５と適当な間隙を置いて、ポケット５より中央部寄りの側壁２の外壁に形成された支脚であり、支脚６は、中間フランジ４から底部１付近まで延びるように形成されている。本実施例においては、支脚６は、所定の間隔を置いて側壁２に突設された垂直リブ６ａ、６ｂと垂直リブ６ａ、６ｂの下端部を連結する水平リブ６ｃとにより形成されている。そして、水平リブ６ｃの下面には、側壁２に沿って溝６ｄが形成されており、従って、支脚６の外側下端部には、下方に向いた突出部６ｅが形成されている。上記のポケット５の内幅は、上記の支脚６の外幅より大きく形成されている。以下、このような、幅広のポケット５と幅狭の支脚６との組み合わせを幅広ポケット・支脚部Ｐと称する。
【００１２】
７は、側壁２の隅部寄りの外壁に形成された、上述した幅狭の支脚６と同様の支脚であり、支脚７は、中間フランジ４から底部１付近まで延びるように形成されている。支脚７は、所定の間隔を置いて側壁２に突設された垂直リブ７ａ、７ｂと垂直リブ７ａ、７ｂの下端部を連結する水平リブ７ｃとにより形成されている。そして、水平リブ７ｃの下面には、側壁２に沿って溝７ｄが形成されており、従って、支脚７の外側下端部には、下方に向いた突出部７ｅが形成されている。８は、支脚７に隣接して或いは支脚７と適当な間隙を置いて、支脚７より中央部寄りの側壁２の内壁に形成された縦長の凹部からなるポケットであり、容器の略半分の深さを有している。上記の支脚７の外幅は、上記のポケット８の内幅より大きく形成されている。以下、このような、幅広の支脚７と幅狭のポケット８との組み合わせを幅広支脚・ポケット部Ｃと称する。
【００１３】
幅広ポケット・支脚部Ｐの幅狭の支脚６の外幅は、幅広支脚・ポケット部Ｃの幅狭のポケット８の内幅より狭く形成されており、従って、後述するように、ネスティングの際には、幅広ポケット・支脚部Ｐの幅狭の支脚６が、幅広支脚・ポケット部Ｃの幅狭のポケット８に挿入できるように構成されている。また、幅広支脚・ポケット部Ｃの幅広の支脚７の外幅は、幅広ポケット・支脚部Ｐの幅広ポケット５の内幅より狭く形成されており、従って、後述するように、ネスティングの際には、幅広支脚・ポケット部Ｃの幅広の支脚７が、幅広ポケット・支脚部Ｐの幅広ポケット５に挿入できるように構成されている。
【００１４】
本実施例においては、上述した幅広ポケット・支脚部Ｐは、相対する長側壁２ａ、２ｂの一方の隅部或いは隅部付近（以下、「隅部或いは隅部付近」を、単に、「隅部付近」と称する。）に、互いに対向して配置されており、また、相対する長側壁２ａ、２ｂのもう一方の隅部付近には、互いに対向するように、幅広支脚・ポケット部Ｃが配置されている。相対する短側壁２ｃ、２ｄの上記相対する長側壁２ａ、２ｂに配置された幅広ポケット・支脚部Ｐに近い方の短側壁２ｃの隅部付近には、幅広支脚・ポケット部Ｃが配置されており、また、相対する短側壁２ｃ、２ｄの上記相対する長側壁２ａ、２ｂに配置された幅広支脚・ポケット部Ｃに近い方の短側壁２ｄの隅部付近には、幅広ポケット・支脚部Ｐが配置されている。なお、一方の長側壁２ａの両隅部付近に、それぞれ、幅広ポケット・支脚部Ｐを配置し、もう一方の長側壁２ｂの両隅部付近に、それぞれ、幅広支脚・ポケット部Ｃを配置することもできる。
【００１５】
９ａは、長側壁２ａの隅部付近に配置された幅広ポケット・支脚部Ｐと幅広支脚・ポケット部Ｃ間に位置するフランジ３の平坦部３ｂに突設された、土手部３ａと同じか或いは土手部３ａより低く高さを有する凸条であり、土手部３ａと凸条９ａとの間には、支脚６、７の突出部６ｅ、７ｅが挿入可能な間隙を有する凹溝９ａ’が形成されている。同様に、９ｂは、長側壁２ｂの隅部付近に配置された幅広ポケット・支脚部Ｐと幅広支脚・ポケット部Ｃ間に位置するフランジ３の平坦部３ｂに突設された、土手部３ａと同じか或いは土手部３ａより低く高さを有する凸条であり、土手部３ａと凸条９ｂとの間には、支脚６、７の突出部６ｅ、７ｅが挿入可能な間隙を有する凹溝９ｂ’が形成されている。
【００１６】
９ｃは、短側壁２ｃの隅部付近に配置された幅広支脚・ポケット部Ｃ間に位置するフランジ３の平坦部３ｂに突設された、土手部３ａと同じか或いは土手部３ａより低く高さを有する凸条であり、土手部３ａと凸条９ｃとの間には、支脚６、７の突出部６ｅ、７ｅが挿入可能な間隙を有する凹溝９ｃ’が形成されている。同様に、９ｄは、短側壁２ｄの隅部付近に配置された幅広ポケット・支脚部Ｐ間に位置するフランジ３の平坦部３ｂに突設された、土手部３ａと同じか或いは土手部３ａより低く高さを有する凸条であり、土手部３ａと凸条９ｄとの間には、支脚６、７の突出部６ｅ、７ｅが挿入可能な間隙を有する凹溝９ｄ’が形成されている。
【００１７】
１０は、容器の角部付近に形成されたリブであり、縦リブ１０ａ及び横リブ１０ｂとを適当に組合わせることにより、容器の角部付近を補強するように構成されている。なお、このようなリブ１０は、側壁２の外壁或いは底部１の底面に、適宜、形成することもできる。
【００１８】
下に位置する容器と上に位置する容器とが、同じ向きになるように、即ち、下に位置する容器の幅広ポケット・支脚部Ｐの上方に、上に位置する容器の幅広ポケット・支脚部Ｐが位置し、また、下に位置する容器の幅広支脚・ポケット部Ｃの上方に、上に位置する容器の幅広支脚・ポケット部Ｃが位置するように、容器を積み重ねると、上に位置する容器の合計８本の支脚６、７が、それぞれ、下に位置する容器のポケット５、８に隣接するフランジ３の凸条９ａ〜９ｄが形成されていない平坦部３ｂに載置されるので、下に位置する容器の上に、上に位置する容器がスタッキングされることになる。
【００１９】
また、スタッキング状態から、上に位置する容器を、平面的に、１８０度回転させて、下に位置する容器と上に位置する容器とが、異なる向きになるように、即ち、下に位置する容器の幅広ポケット・支脚部Ｐの上方に、上に位置する容器の幅広支脚・ポケット部Ｃが位置し、また、下に位置する容器の幅広支脚・ポケット部Ｃの上方に、上に位置する容器の幅広ポケット・支脚部Ｐが位置するように配置すると、下に位置する容器の幅広ポケット・支脚部Ｐのポケット５に、上に位置する容器の幅広支脚・ポケット部Ｃの支脚７が、また、下に位置する幅広支脚・ポケット部Ｃのポケット８に、上に位置する幅広ポケット・支脚部Ｐの支脚６が、それぞれ挿入されることになり、従って、上に位置する容器の略半分が、下に位置する容器の内部に嵌め込まれてネスティングされることになる。
【００２０】
次に、図３を用いて、上に位置する容器Ｂｕを、下に位置する容器Ｂｂのフランジ３に沿ってスライドさせながらスタッキングする順序について説明する。
【００２１】
上に位置する容器Ｂｕの一方の短側壁２ｄを持ち上げて、長側壁２ａ、２ｂの短側壁２ｃ側に位置する幅広ポケット・支脚部Ｐの支脚６が、下に位置する容器Ｂｂの長側壁２ａ、２ｂ側のフランジ３の中程に位置するように、上に位置する容器Ｂｕを、下に位置する容器Ｂｂに載置する。この際、上に位置する容器Ｂｕの支脚６の突出部６ｅが、下に位置する容器Ｂｂのフランジ３の土手部３ａと長側壁２ａ、２ｂに沿って突設された凸条９ａ、９ｂとにより形成される凹溝９ａ’、９ｂ’に挿入されるように、下に位置する容器Ｂｂの上に、上に位置する容器Ｂｕを配置する。
【００２２】
次いで、上に位置する容器Ｂｕの一方の短側壁２ｄを持ち上げたまま、上に位置する容器Ｂｕを、下に位置する容器Ｂｂの長側壁２ａ、２ｂ側のフランジ３に沿ってスライドさせるが、上に位置する容器Ｂｕの支脚６の突出部６ｅが、下に位置する容器Ｂｂの凹溝９ａ’、９ｂ’に挿入されているので、上に位置する容器Ｂｕが、スライド方向に対して横方向に移動することがなく、従って、上に位置する容器Ｂｕが、下に位置する容器Ｂｂから外れるようなことが防止でき、確実に、しかも、迅速にスタッキングすることができる。
【００２３】
下に位置する容器Ｂｂの短側壁２ｃ側のフランジ３には、幅広支脚・ポケット部Ｃ間にのみ凸条９ｃが突設され、それ以外の部分には凸条９ｃが突設されていないので、上に位置する容器Ｂｕの短側壁２ｃに設けられた幅広支脚・ポケット部Ｃの支脚７が、下に位置する容器Ｂｂの凸条９ｃに当接し、上に位置する容器Ｂｕの短側壁２ｃが、下に位置する容器Ｂｂの短側壁２ｃまでスライドできず、従って、スタッキングできないというトラブルの発生が防止できる。
【００２４】
上に位置する容器を、下に位置する容器の短側壁２ｃ、２ｄのフランジ３に沿ってスライドさせながらスタッキングする場合には、先ず最初に、上に位置する容器の一方の長側壁２ａを持ち上げて、短側壁２ｃ、２ｄの長側壁２ｂ側に位置する幅広ポケット・支脚部Ｐの支脚６及び幅広支脚・ポケット部Ｃの支脚７が、下に位置する容器の短側壁２ｃ、２ｄ側のフランジ３の中程に位置するように、上に位置する容器を、下に位置する容器に載置する。この際、上に位置する容器の短側壁２ｃ側の幅広支脚・ポケット部Ｃの支脚７の突出部７ｅが、下に位置する容器のフランジ３に形成された凹溝９ｃ’に、また、上に位置する容器の短側壁２ｄ側の幅広ポケット・支脚部Ｐの支脚６の突出部６ｅが、下に位置する容器のフランジ３に形成された凹溝９ｄ’に挿入されるように、下に位置する容器の上に、上に位置する容器を配置する。
【００２５】
次いで、上に位置する容器を、下に位置する容器の短側壁２ｃ、２ｄのフランジ３に沿ってスライドさせると、上に位置する容器の短側壁２ｃ側の幅広支脚・ポケット部Ｃの支脚７の突出部７ｅが、下に位置する容器のフランジ３に形成された凹溝９ｃ’に、また、上に位置する容器の短側壁２ｄ側の幅広ポケット・支脚部Ｐの支脚６の突出部６ｅが、下に位置する容器のフランジ３に形成された凹溝９ｄ’に挿入されているので、上に位置する容器が、スライド方向に対して横方向に移動することがなく、従って、上に位置する容器が、下に位置する容器から外れるようなことが防止でき、確実に、しかも、迅速にスタッキングすることができる。
【００２６】
また、下に位置する容器の長側壁２ｂ側のフランジ３には、幅広ポケット・支脚部Ｐと幅広支脚・ポケット部Ｃ間にのみ凸条９ｂが突設され、それ以外の部分には凸条９ｂが突設されていないので、上に位置する容器の長側壁２ｂに設けられた幅広支脚・ポケット部Ｃの支脚７及び幅広ポケット・支脚部Ｐの支脚６が、下に位置する容器の長側壁２ｂに形成された凸条９ｂに当接して、上に位置する容器の長側壁２ｂが、下に位置する容器の長側壁２ｂまでスライドできず、従って、スタッキングできないというトラブルの発生が防止できる。
【００２７】
上述したように、容器のフランジ３の平坦部３ｂには、各側壁に形成された幅広ポケット・支脚部Ｐと幅広支脚・ポケット部Ｃ間、２組の幅広ポケット・支脚部Ｐ間及び２組の幅広支脚・ポケット部Ｃ間のみに凸条９ａ〜９ｄが突設されているので、スタッキングの際に、下に位置する容器に設けられた凸条９ａ〜９ｄが、上に位置する容器のスライドの邪魔にならず、従って、スタッキングを、確実に、しかも、迅速に行うことができる。
【００２８】
次に、図４及び図５を用いて、本発明の別の実施例について説明する。
【００２９】
図４及び図５に示されている容器は、上述した図１〜図３に示されている容器と異なり、土手部３ａが形成されておらず、フランジ３が平坦に形成されている。そして、長側壁２ａの隅部付近に配置された幅広ポケット・支脚部Ｐと幅広支脚・ポケット部Ｃ間には、凹溝１１ａが設けられており、また、長側壁２ｂの隅部付近に配置された幅広ポケット・支脚部Ｐと幅広支脚・ポケット部Ｃ間との間には、同様の凹溝１１ｂが形成されている。また、短側壁２ｃの隅部付近に配置された幅広支脚・ポケット部Ｃ間には、凹溝１１ｃが、そして、短側壁２ｄの隅部付近に配置された幅広ポケット・支脚部Ｐ間には、凹溝１１ｄが形成されている。そして、上記の凹溝１１ａ〜１１ｄの溝幅は、支脚６、７の突出部６ｅ、７ｅが挿入可能な幅に形成されている。なお、凹溝１１ａ〜１１ｄの長さ方向の両端部付近の底面は、フランジ３の面に向かって、徐々に、凹溝１１ａ〜１１ｄの深さが浅くなるように傾斜して形成されている。上記以外の構成については、上述した図１〜図３に示されている実施例の容器と同じであるので、その説明は省略する。
【００３０】
次に、上に位置する容器を、下に位置する容器のフランジ３に沿ってスライドさせながらスタッキングする順序について説明する。
【００３１】
上に位置する容器の一方の短側壁２ｄを持ち上げて、長側壁２ａ、２ｂの短側壁２ｃ側に位置する幅広ポケット・支脚部Ｐの支脚６が、下に位置する容器の長側壁２ａ、２ｂ側のフランジ３の中程に位置するように、上に位置する容器を、下に位置する容器に載置する。この際、上に位置する容器の支脚６の突出部６ｅが、下に位置する容器の長側壁２ａ、２ｂ側のフランジ３に形成された凹溝１１ａ、１１ｂに挿入されるように、下に位置する容器の上に、上に位置する容器Ｂｕを配置する。
【００３２】
次いで、上に位置する容器の一方の短側壁２ｄを持ち上げたまま、上に位置する容器を、下に位置する容器の長側壁２ａ、２ｂ側のフランジ３に沿ってスライドさせるが、上に位置する容器の支脚６の突出部６ｅが、下に位置する容器のフランジ３に形成された凹溝１１ａ、１１ｂに挿入されているので、上に位置する容器が、スライド方向に対して横方向に移動することがなく、従って、上に位置する容器が、下に位置する容器から外れるようなことが防止でき、確実に、しかも、迅速にスタッキングすることができる。
【００３３】
また、上に位置する容器の支脚６の突出部６ｅが、下に位置する容器のフランジ３に形成された凹溝１１ａ、１１ｂの端部までスライドしてきた場合には、更に、上に位置する容器を押すと、上に位置する容器の支脚６の突出部６ｅが、下に位置する容器の凹溝１１ａ、１１ｂの両端部付近の底面傾斜に沿って凹溝１１ａ、１１ｂから抜け出て、下に位置する容器の長側壁２ａ、２ｂの幅広ポケット・支脚部Ｐのポケット５の手前のフランジ３に載置されて、スタッキングが終了する。なお、上に位置する容器を、下に位置する容器の短側壁２ｃ、２ｄのフランジ３に沿ってスライドさせる場合の同じであるので、その説明は省略する。
【００３４】
次に、図６及び図７を用いて、本発明の更に別の実施例について説明する。
【００３５】
図６及び図７に示されている容器は、短側壁２ｃ、２ｄ側のフランジ３の幅が狭く、また、長側壁２ａ、２ｂ側のフランジ３の幅が広い場合であり、従って、上に位置する容器を、下に位置する容器の長側壁２ａ、２ｂ方向にスライドさせてスタッキングする際には、上に位置する容器が、下に位置する容器の長側壁２ａ、２ｂ側のフランジ３から外れる心配がない。
【００３６】
しかしながら、短側壁２ｃ、２ｄ側のフランジ３の幅が狭いので、上に位置する容器を、下に位置する容器の短側壁２ｃ、２ｄ側のフランジ３に沿ってスライドさせる場合には、上に位置する容器が、下に位置する容器から外れるというトラブルが発生するので、容器の短側壁２ｃに設けられた幅広支脚・ポケット部Ｃ間及び短側壁２ｄに設けられた幅広ポケット・支脚部Ｐ間にのみ、上述したような凸条９ｃ、９ｄを突設し、土手部３ａと凸条９ｃ、９ｄとの間に、支脚６、７の突出部６ｅ、７ｅが挿入可能な間隙を有する凹溝９ｃ’、９ｄ’を形成する。そして、容器の長側壁２ａ、２ｂのフランジ３には、上述したような凸条９ａ、９ｂを形成しない。勿論、上述した図４及び図５に示されている実施例の場合には、容器の短側壁２ｃに設けられた幅広支脚・ポケット部Ｃ間及び短側壁２ｄに設けられた幅広ポケット・支脚部Ｐ間にのみ、上述したような凹溝１１ｃ、１１ｄが形成され、容器の長側壁２ａ、２ｂのフランジ３には、上述したような凹溝１１ａ、１１ｂは形成しない。
【００３７】
上述した実施例において、短側壁２ｃ、２ｄ側のフランジ３の幅が広く、また、長側壁２ａ、２ｂ側のフランジ３の幅が狭い場合には、当然のことながら、短側壁２ｃ、２ｄ側のフランジ３には凹溝を形成しないで、長側壁２ａ、２ｂ側のフランジ３のみに凹溝を形成する。
【００３８】
なお、上述した構成を有する容器は、射出成形機等により、合成樹脂で一体成形することが好ましく、また、フランジ３の土手部３ａ或いは凸条９ａ〜９ｄを、連続した凸条に形成することなく、幅広ポケット・支脚部Ｐの支脚６の外幅より狭い間隙を置いて形成された複数の凸部により構成することもできる。
【００３９】
【発明の効果】
本発明は、以上説明したような構成を有するので、以下に記載する効果を奏するものである。
【００４０】
各側壁のフランジに、支脚の突出部が挿入可能な凹溝を形成したので、長側壁方向或いは短側壁方向のいずれの方向からのスタッキングにおいても、上に位置する容器が、スライド方向に対して横方向に移動することがなく、従って、上に位置する容器が、下に位置する容器から外れるようなことが防止でき、確実に、しかも、迅速にスタッキングすることができる。
【００４１】
各側壁の両隅部付近に形成されたポケット・支脚部間に位置するフランジにのみ、支脚の突出部が挿入可能な凹溝を形成したので、長側壁或いは短側壁のいずれの方向からのスタッキングにおいても、上に位置する容器の支脚が、下に位置する容器の凹溝を形成する凸条に邪魔されることなく、確実に、スタッキングを行うことができる。
【００４２】
凹溝を、幅の狭い方の相対するフランジにのみ形成したので、スタッキングの作業性を損なうことなく、容器を合成樹脂で成形する際の金型の設計が簡素化されるとともに、凹溝に入り込むゴミ等の蓄積がより少なくなり、容器の洗浄作業が向上する。
【図面の簡単な説明】
【図１】図１は本発明の箱型容器の斜視図である。
【図２】図２は図１に示されている箱型容器の平面図である。
【図３】図３は図１に示されている箱型容器のスライド状態を示す一部斜視図である。
【図４】図４は本発明の箱型容器の別の実施例の斜視図である。
【図５】図５は図４に示されている箱型容器の平面図である。
【図６】図６は本発明の箱型容器の更に別の実施例の斜視図である。
【図７】図７は図６に示されている箱型容器の平面図である。
【符号の説明】
Ｃ・・・・・・・・幅広支脚・ポケット部
Ｐ・・・・・・・・幅広ポケット・支脚部
１・・・・・・・・底部
２・・・・・・・・側壁
２ａ、２ｂ・・・・長側壁
２ｃ、２ｄ・・・・短側壁
３・・・・・・・・フランジ
５、８・・・・・・ポケット
６、７・・・・・・支脚
９ａ〜９ｄ・・・・凸条
１１ａ〜１１ｄ・・凹溝
【図１】
0004089790.tif 000002
【図２】
0004089790.tif 000003
【図３】
0004089790.tif 000004
【図４】
0004089790.tif 000005
【図５】
0004089790.tif 000006
【図６】
0004089790.tif 000007
【図７】
0004089790.tif 000008